(57)【要約】      （修正有）【課題】津波が襲来した場合には防潮板が自動的に開口して津波を無理なく阻止し、かつ普段は防潮板を開放状態として海岸沿いの住民に閉塞感を与えることのない津波膨張力を用いた自動両開き遮水型防潮堤を提供する。【解決手段】海岸に敷設した基盤上に立設され、筋交い棒で補強された支柱主体１１と、該支柱主体に海側を向いて開閉するように回転可能に取り付けられた一対の防潮板１３，１３’と、前記一対の防潮板の他端を保持する、筋交い棒で補強された副支柱１４とを備え、前記支柱主体と副支柱とをその設置方向に沿って交互に配設し、津波が襲来した際には前記一対の防潮板の間に津波が入り込むことによりその圧力で一対の防潮板が拡がるよう回転し、その先端は前記副支柱に係合して保持されることによって津波防止用の防潮堤としての役割を果すことができるようにしたことを特徴する津波膨張力を用いた自動両開き遮水型防潮堤。【選択図】図１
2019023419.tif 000002
【特許請求の範囲】
【請求項１】
海岸に敷設した基盤上に立設され、筋交い棒で補強された支柱主体と、
該支柱主体に海側を向いて開閉するように回転可能に取り付けられた一対の防潮板と、
前記一対の防潮板の他端を保持する、筋交い棒で補強された副支柱とを備え、
前記支柱主体と副支柱とをその設置方向に沿って交互に配設し、
津波が襲来した際には前記一対の防潮板の間に津波が入り込むことによりその圧力で一対の防潮板が拡がるよう回転し、その先端は前記副支柱に係合して保持されることによって津波防止用の防潮堤としての役割を果すことができるようにしたことを特徴する津波膨張力を用いた自動両開き遮水型防潮堤。
【請求項２】
前記支柱主体と副支柱とは、津波が押し寄せる海側に向かって傾斜して基盤上に立設されていて、かつ一対の前記防潮板の表側の対向部に複数の固定用磁石受けを備えていることを特徴とする請求項１に記載の津波膨張力を用いた自動両開き遮水型防潮堤。
【請求項３】
前記一対の防潮板は、互いの対向面の先端が反り返るアーチ状をなしており、該アーチの内面には補強用の支承板が上下方向に所定の間隔で配設されていることを特徴とする請求項１または２に記載の津波膨張力を用いた自動両開き遮水型防潮堤。
【請求項４】
前記支柱主体と副支柱を補強する筋交い棒は、前記支柱主体と副支柱に対して陸側から配設されていることを特徴とする請求項１ないし３のいずれかに記載の津波膨張力を用いた自動両開き遮水型防潮堤。
【請求項５】
前記支柱主体と副支柱を補強する筋交い棒は、前記支柱主体と副支柱に対して海側と陸側からそれぞれ一対配設されていることを特徴とする請求項１ないし３のいずれかに記載の津波膨張力を用いた自動両開き遮水型防潮堤。
【請求項６】
前記支柱主体と副支柱とは、それぞれ所定間隔で一対の支柱主体と、それに隣接する所定間隔で一対の副支柱によって構成されており、前記支柱主体と副支柱の所定間隔の間には高架道路が配設されていることを特徴とする請求項１ないし５のいずれかに記載の津波膨張力を用いた自動両開き遮水型防潮堤。
【請求項７】
前記海岸に敷設した基盤は、所定間隔に複数のはめ込み溝を形成した縦板および横板を交互に組み付けて形成したハニカム構造を備えており、該ハニカム構造中にはコンクリートが打設されていることを特徴とする請求項１ないし６のいずれかに記載の津波膨張力を用いた自動両開き遮水型防潮堤。
【請求項８】
海岸に敷設した基盤は、その上にアーチ橋形態の擁壁体が構築されており、該アーチ橋形態の擁壁体の構造をコンクリート製串状係合型ブロックによる組み積み構造とするか、複数本の棒状木質体を組木状に組み込み、該棒状木質体の自然そり力やゆがみ力を逆手に応用し、耐久性や収縮性、そして耐圧性や一体性を大幅に向上した頑強な防潮堤を構築できるようにしたことを特徴とする請求項１ないし７のいずれかに記載の津波膨張力を用いた自動両開き遮水型防潮堤。
【発明の詳細な説明】
【技術分野】
【０００１】
本発明は津波膨張力（津波の防潮板を押し拡げる力をいう）を用いた自動両開き遮水型防潮堤に関する。
【背景技術】
【０００２】
数年前の東北大地震の際のように、海沿いの生活地域に規模の大きい津波が襲来すると大惨事となる。これらの場所は海に面した海岸の海底が軟弱地盤か、かつ堤防が数キロメートルの長さとなるので、従来のケーソンやコンクリートの津波防止用堤防は地盤改良やマウンドの建設に多額の費用がかかり、かつ大量の採石、岩石を投入することも物量的に難しいこともあって、現在は公共団体の資金の投入を待って行われているのが実情であり、さらに従来の堤防はほとんどが海岸より高く設定されており、当然陸側からは水平線が眺望できなくて環境的にも配慮が欠けており、それによって地域住民の堤防建設に賛同が得られないのが現状である。
【０００３】
ちなみに、このような津波に対応する防潮堤として、観音開き状に開閉する扉を備えた防潮堤としては次のような提案がなされている。
１）特開２０１５−９００５８号公報（特許文献１参照）
互いの先端同士が当接することで水路を遮蔽し、前記先端同士が離隔することで前記水路を開口する一対の扉体を有する水門であって、前記一対の扉体は、前記水路を遮蔽した状態で、前記先端よりも基端部が前記水路の上流側に位置するように設置されていることを特徴とする、水門。
なお、前記一対の扉体は、錘の重量により遮蔽されるようになっている。
【０００４】
２）特開２０１５−１４１６７号公報（特許文献２参照）
防潮堤等の開口部に取付けられた防潮扉が油圧シリンダで開閉操作される防潮扉の油圧式開閉装置において、前記油圧シリンダの油圧回路に、中立位置と、前記油圧シリンダを往動させる閉扉位置と、前記油圧シリンダを復動させる開扉位置とに電動若しくは手動で切り換え操作可能な操作式切換弁が設けられる一方、常時は油圧を畜えるアキュムレータと、前記操作式切換弁の中立位置において、海側の水位変動に連動して昇降するフロートの上昇時に前記油圧シリンダに油圧を供給して往動させる閉扉位置と、前記フロートの下降時に前記油圧シリンダに供給された油圧を油タンクに戻して復動させる開扉位置とに切り換えるフロート式切換弁と、前記フロート式切換弁の閉扉位置で前記アキュムレータの油圧を前記油圧シリンダの往動側に供給する供給位置と、前記フロート式切換弁の開扉位置で前記油圧シリンダの油圧を油タンクに戻す戻し位置とに切り換えるシャトル弁とが設けられていることを特徴とする防潮扉の油圧式開閉装置。
【先行技術文献】
【特許文献】
【０００５】
【特許文献１】特開２０１５−９００５８号公報
【特許文献２】特開２０１５−１４１６７号公報
【発明の概要】
【発明が解決しようとする課題】
【０００６】
しかしながら、上述のいずれの先行技術も、扉体の遮蔽機構として錘の重量を用いたり、防潮扉を油圧シリンダで開閉操作するようになっている。
したがって、緊急時に扉体を確実に開閉することが難しく、また防潮堤全体の構造が複雑となってしまい、装置が非常に高価なものとなりやすいという課題があった。
【０００７】
本発明は、海岸等に高い津波が襲来した場合には防潮板が自動的に開いて津波を無理なく阻止し、かつ普段の使用しない場合には鋼鉄製の防潮板を閉じた状態としておき、海岸沿いの住民に閉塞感を与えることのない津波膨張力を用いた自動両開き遮水型防潮堤を提供することを目的とする。
【課題を解決するための手段】
【０００８】
すなわち本発明の津波膨張力を用いた自動両開き遮水型防潮堤は、海岸に敷設した立体基盤に立設され、かつ筋交い棒で補強された支柱主体と、
該支柱主体に海側を向いて開閉するように回転可能に取り付けられた一対の傾斜状鋼鉄製防潮板と、
さらに、前記一対の防潮板の他端を保持する、筋交い棒で補強された副支柱とを備え、
前記支柱主体と副支柱とをその設置方向に沿って交互に配設し、
津波が襲来した際には前記一対の防潮板の間に津波が入り込むことによりその自然圧力で一対の防潮板が拡がるよう回転し、その先端は前記副支柱に係合して保持されることによって防潮堤としての役割を果すことができるようにしたことを特徴するものである。
【０００９】
本発明の津波膨張力を用いた自動両開き遮水型防潮堤において、前記支柱主体と副支柱とは、津波が押し寄せる海側に向かって傾斜して基盤内に立設されていて、かつ一対の前記防潮板の表側の対向部に複数の固定用磁石受けを備えていることをも特徴とするものである。
【００１０】
本発明の津波膨張力を用いた自動両開き遮水型防潮堤において、前記一対の防潮板は、海側に傾斜固定しており、重量のある鉄板の引力原理により閉口しており、かつ互いの対向面の先端が反り返るアーチ状をなしており、該アーチの内面には補強用の支承板が上下方向に所定の間隔で複数段配設され、かつ補強用と軽量化を目的にカーボン樹脂板を貼り付けてあることをも特徴とするものである。
【００１１】
本発明の津波膨張力を用いた自動両開き遮水型防潮堤において、前記支柱主体と副支柱を補強する筋交い棒は、前記支柱主体と副支柱に対して陸側から配設されていることをも特徴とするものである。
【００１２】
本発明の津波膨張力を用いた自動両開き遮水型防潮堤において、前記支柱主体と副支柱を補強する筋交い棒は、前記支柱主体と副支柱に対して海側のみならず陸側からもそれぞれ一対配設されていることをも特徴とするものである。
【００１３】
本発明の津波膨張力を用いた自動両開き遮水型防潮堤において、前記支柱主体と副支柱とは、それぞれ所定間隔で一対の支柱主体と、それに隣接する所定間隔で一対の副支柱によって構成されており、前記支柱主体と副支柱の所定間隔の間には高架道路が配設されていることをも特徴とするものである。
【００１４】
本発明の津波膨張力を用いた自動両開き遮水型防潮堤において、海岸に敷設した基盤は、所定間隔に複数のはめ込み溝を形成した縦板および横板を交差状に組み付けて形成したハニカム構造を備えており、該ハニカム構造中には生コンクリートが打設され、固化されていることをも特徴とするものである。
【００１５】
本発明の津波膨張力を用いた自動両開き遮水型防潮堤において、海岸に敷設した基盤は、その上にアーチ橋形態の擁壁体が構築されており、該アーチ橋形態の擁壁体の構造をコンクリート製串状係合型ブロックによる組み積み構造とするか、複数本の棒状木質体を組木状に組み込み、該棒状木質体の自然そり力やゆがみ力を逆手に応用し、耐久性や収縮性、そして耐圧性や一体性を大幅に向上した頑強な防潮堤を構築できるようにしたことをも特徴とするものである。
【発明の効果】
【００１６】
本発明によれば、津波の襲来する海岸沿いに、上下に一定深さでの切込みを形成しているハニカムブロック体を用いれば、高さが２０〜３０メートル、幅１０〜３０メートル、長さ数キロメートル以上も可能な自動両開き型防潮堤を容易かつ短期間に構築することができる。
そして請求項１の発明によれば、津波が襲来した際には前記一対の防潮板の間に津波が入り込むことによりその圧力で一対の防潮板が拡がるよう回転して開口し、その先端は前記副支柱に係合して保持されることによって津波防止用の防潮堤としての役割を果すことができるようにした。したがって、海岸等に高い津波が襲来した場合には鋼鉄製防潮板が自動的に開いて津波を無理なく阻止し、普段の使用しない場合には防潮板を閉じた状態として支柱間を開放し、かつ該防潮堤開口部の往来を可能とし、海岸沿いの住民に閉塞感を与えることのない津波膨張力を用いた自動両開き遮水型防潮堤を提供することができる。
【００１７】
そして請求項２の発明によれば、前記支柱主体と副支柱とは、津波が押し寄せる海側に向かってやや傾斜して基盤内に立設されているため、常態においては重量のある鉄板の引力原理により閉口しており、かつ頑強でかつ非常に重量バランスの良い津波膨張力を用いた自動両開き遮水型防潮堤を提供することができる。
【００１８】
そして請求項３の発明によれば、前記一対の鋼鉄製防潮板は、互いの対向面の先端が反り返るアーチ状をなしており、該アーチの内面には補強用の支承板が上下方向に所定の間隔で配設されている。したがってカーボン材等を用いて非常に軽量で強度の高い津波膨張力を用いた自動両開き遮水型防潮堤を提供することができる。
【００１９】
そして請求項４の発明によれば、前記支柱主体と副支柱を補強する筋交い棒は、前記支柱主体と副支柱に対して陸側から配設されている。したがって非常に軽量で強度の高い津波膨張力を用いた自動両開き遮水型防潮堤を提供することができる。
【００２０】
そして請求項５の発明によれば、前記支柱主体と副支柱を補強する筋交い棒は、前記支柱主体と副支柱に対して海側と陸側からそれぞれ一対配設されている。
したがって非常に軽量で強度の高い津波膨張力を用いた自動両開き遮水型防潮堤を提供することができる。
【００２１】
そして請求項６の発明によれば、前記支柱主体と副支柱とは、それぞれ所定間隔で一対の支柱主体と、それに隣接する所定間隔で一対の副支柱によって構成されており、前記支柱主体と副支柱の所定間隔の間には高架道路を配設することができ、装置の点検や津波の際の退避等に非常に有用な津波膨張力を用いた自動両開き遮水型防潮堤を提供することができる。
【００２２】
そして請求項７の発明によれば、海岸に敷設した基盤は、所定間隔に複数のはめ込み溝を形成した縦板および横板を交差状に組み付けて形成したハニカム構造を備えており、該ハニカム構造中には生コンクリートが打設され、固化されている。
したがって非常に軽量で強度の高い津波膨張力を用いた自動両開き遮水型防潮堤を構成する基盤を提供することができる。さらにまた、コンクリート製串状係合型ブロックによる組み積み構造からなる基盤や、木材や竹材等からなる所定太さの棒状木質体をコンクリート内に埋設した強度のある棒状木質体入りコンクリート基盤や擁壁体を造ることができる。このようにすれば基盤の大幅な重量化を耐圧性向上を図ることができるため、より大きな皇室領津波の膨張体に対抗することが可能となる。
【図面の簡単な説明】
【００２３】
【図１】本発明の津波膨張力を用いた自動両開き遮水型防潮堤の実施の形態の１例を示す概略斜視図である。
【図２】その要部を示す概略平面図である。
【図３】鋼鉄製防潮板の開閉過程を示すものであり、（ａ）は防潮堤の防潮板を開いた状態の概略平面図、（ｂ）は閉じた状態の概略平面図である。
【図４】鋼鉄製防潮板の概略構造を示す概略断面図である。
【図５】その設置状態を説明する概略側面図である。
【図６】本発明の防潮板に風力発電装置を搭載した使用例を示す概略平面図である。
【図７】同様に防潮堤上に高架道路を設置した例を示す概略側面図である。
【図８】さらに海岸への連続設置例を示す概略平面図である。
【図９】その概略側面図である。
【図１０】１段のみのハニカム形態型基盤の例を示し、（ａ）は基盤を構成する一対のハニカム用板材の概略側面図、（ｂ）は構築したハニカム形態型基盤の概略斜視図である。
【図１１】基盤を構成するハニカム用板材の組成状態を示す概略斜視図である。
【図１２】ハニカム用板材を示す概略斜視図である。
【図１３】ハニカム用板材に２枚の隣接するハニカム用板材をはめ込むはめ込み溝を設けた状態を示す概略斜視図である。
【図１４】本発明の防潮板を組み付けようとするアーチ橋の例を示す概略斜視図である。
【図１５】本発明の防潮板をアーチ橋に組み付けた例を示す概略斜視図である。
【図１６】その概略断面図である。
【図１７】本発明のハニカム形態基盤を用いたアーチ橋の概略斜視図である。
【図１８】アーチ橋の橋脚上部の壁体内に複数本の棒状木質体を組み込んで埋設している状態の概略断面図である。
【図１９】アーチ橋の橋脚上部の壁体内に組み込む複数本の棒状木質体の組み付け状態の概略斜視図である。
【図２０】（ａ）は串状係合ブロックの概略上面斜視図、（ｂ）は串状係合ブロックの概略下面斜視図である。
【図２１】（ａ）は串状係合ブロックの概略上面図、（ｂ）は串状係合ブロックの概略下面図である。
【図２２】（ａ）は幅が１／２の串状係合ブロックの概略上面図、（ｂ）は幅が１／２の串状係合ブロックの概略下面図である。
【図２３】（ａ）はテーパ状形態の串状係合ブロックの概略上面斜視図、（ｂ）はテーパ状形態の串状係合ブロックの概略下面斜視図である。
【図２４】（ａ）はテーパ状形態の串状係合ブロックの概略上面図、（ｂ）はテーパ状形態の串状係合ブロックの概略並列上面図である。
【図２５】テーパ状形態の串状係合ブロックのカーブ状構築概略上面図である。
【図２６】串状係合ブロックの概略断面図である。
【発明を実施するための形態】
【００２４】
以下、本発明の津波膨張力を用いた自動両開き遮水型防潮堤の実施の形態を図面に基づいて説明する。
本発明の津波膨張力を用いた自動両開き遮水型防潮堤の概略図を図１ないし図５に示す。
すなわち本実施例の津波膨張力を用いた自動両開き遮水型防潮堤は、海岸に敷設した基盤、特にハニカム形態型基盤３１上に立設され、筋交い棒１２で補強された支柱主体１１と、この支柱主体１１に海側を向いて開閉するように回転可能に取り付けられた一対の鋼鉄製防潮板１３，１３’と、該一対の鋼鉄製防潮板１３，１３’の先端を保持する、筋交い棒１５で補強された副支柱１４とを備えている。そして、前記支柱主体１１と副支柱１４とをその設置方向（海岸線等）に沿って交互に配設してある。
図２および図３において１３ａは一対の鋼鉄製防潮板１３，１３’を開いた状態において吸着して保持する磁石受けである。
【００２５】
このような津波膨張力を用いた自動両開き遮水型防潮堤においては、津波が襲来した際には前記一対の鋼鉄製防潮板１３，１３’の間に津波が入り込むことにより、その圧力で一対の鋼鉄製防潮板１３，１３’が回動して開き、その先端は前記副支柱１４に係合して保持されることによって津波防止用の防潮堤としての役割を果すことができる。
設置状態の実際の長さは４〜５キロメートルあり、海面の上の高さは２０〜３０メートル、幅５〜１０メートルとすることが望ましい。
【００２６】
本実施例の津波膨張力を用いた自動両開き遮水型防潮堤においては、図５に示すように、前記支柱主体１１と副支柱１４とは、津波が押し寄せる海側に向かって傾斜してハニカム形態型基盤３１上に立設されている。こうすることによって、非常に重量バランスの良い津波防止用の防潮堤を提供することができる。
【００２７】
本実施例の津波膨張力を用いた自動両開き遮水型防潮堤においては、前記一対の鋼鉄製防潮板１３，１３’は、互いの対向面の先端が反り返るアーチ状をなしており、図４に示すように該アーチの内面には補強用の支承板１６が上下方向に所定の間隔で配設されている。
前記鋼鉄製防潮板１３，１３’や補強用の支承板１６の素材としては、鋼材、ＦＲＰ等を用いることができるが、ＣＦＲＰのようなカーボン繊維シートなどで補強された樹脂板をサンドイッチ構造の素材として適用することができ、非常に軽量で強度の高い津波防止用の防潮堤を提供することができる。
【００２８】
図３（ａ），（ｂ）は前記一対の鋼鉄製防潮板１３，１３’の開閉機構を示すものであり、図３（ａ）の状態で津波が押し寄せると、津波は互いの対向面の先端が反り返るアーチ状の前記一対の鋼鉄製防潮板１３，１３’の間隙内に入り込む。その際、津波の圧力で一対の防潮板１３，１３’が拡がるよう回転し、その先端は前記副支柱１４に係合して保持される。
このように、海岸等に高い津波が襲来した場合には鋼鉄製防潮板１３，１３’が自動的に開くことにより防潮堤が閉鎖されて津波を無理なく阻止し、かつ普段の使用しない場合には防潮板１３，１３’を開放状態として防潮堤が開放されることにより、海岸沿いの住民に閉塞感を与えることのない津波防止用の防潮堤を提供することができる。
【００２９】
図６（および図４参照）は津波膨張力を用いた自動両開き遮水型防潮堤の第１の変形例を示すものであり、前記支柱主体１１の上部には支持ポール（図示せず）を介して風力発電用の羽根２１が設置されており、非常用あるいはメンテナンス用の電源が得られるようになっている。
なお、この例における前記支柱主体１１と副支柱１４とは、設置ラインに対して平行かジグザグになるよう配置されている。
【００３０】
本実施例の津波膨張力を用いた自動両開き遮水型防潮堤においては、前記支柱主体１１と副支柱１４を補強する筋交い棒１２，１５は、前記支柱主体１１と副支柱１４に対して陸側から配設されている。
もちろん、図８および図９に示すように、前記支柱主体１１と副支柱１４を補強する筋交い棒１２，１５は、前記支柱主体１１と副支柱１４に対して海側と陸側からそれぞれ一対配設してもよい。
【００３１】
図７は津波膨張力を用いた自動両開き遮水型防潮堤の第２の変形例を示すものであり、前記支柱主体１１と副支柱１４とは、それぞれ所定間隔で一対の支柱主体１１ａ，１１ｂと、それに隣接する所定間隔で一対の副支柱１４ａ，１４ｂによって構成されており、前記支柱主体１１ａ，１１ｂと副支柱１４ａ，１４ｂの所定間隔の間には高架道路１７が配設されている。
この変形例における筋交い棒１２，１５はそれぞれ海側、陸側に配設されており、前記支柱主体１１ａ，１１ｂと副支柱１４ａ，１４ｂの所定間隔の間には交差するように筋交い１８が配設してある。
なお、前記高架道路１７は、装置の点検や津波の際の退避等に非常に有用であり、付加価値の高い津波防止用の防潮堤を提供することができる。
【００３２】
本発明の津波膨張力を用いた自動両開き遮水型防潮堤において、海岸に敷設したハニカム形態型基盤３１は、図１０（ａ）および（ｂ）に示すように、所定間隔に複数のはめ込み溝３３を形成した縦板および横板からなるハニカム用板材３２を交互に組み付けて形成したハニカム構造を備えている。そしてこのハニカム構造中には生コンクリートを打設するのである。
図１１および図１２は、はめ込み溝３３を形成したハニカム用板材３２で多段のハニカム形態型基盤３１を示すものであり、その長さ方向の片側には所定の間隔で溝３３ａが形成され、またその反対側には前記溝３３ａの中間位置となるように溝３３ｂが配設されている。
図１３は、はめ込み溝３３として隣接する２枚のハニカム用板材３２をはめ込むための幅広溝３３ｃが形成してある。この幅広溝３３ｃを用いて各ハニカム用板材３２を連結することにより、長尺のハニカム形態型基盤３１を簡単に形成することができる。
【００３３】
このようにして海岸に敷設したハニカム形態型基盤３１は、所定間隔に複数のはめ込み溝３３を形成した縦板および横板を交互に組み付けて形成したハニカム構造を備えており、該ハニカム構造中には生コンクリートが打設されているため、非常に軽量で強度の高い津波膨張力を用いた自動両開き遮水型防潮堤を構成する基盤を提供することができる。
【００３４】
図１４ないし図１６に防潮板をアーチ橋に組み付けた例を示す。
すなわち、図１４は本発明の防潮板を組み付けようとするアーチ橋４１の例を示すものであり、このアーチ橋４１はその下部に所定の間隔で上部がアーチ状となっているスリット状の開口部４２が開設されている。
そして、本発明の防潮板４４は図１５および図１６に示すように、前記アーチ橋４１の開口部４２に組み付けられている。すなわち、開口部４２の間の橋脚部４３に沿って支柱主体４５上部が海側に傾斜するよう配設されており、該支柱主体４５の両側部には鋼鉄製防潮板４６がそれぞれ開閉可能に取り付けられている。４６ａは前記両側部の鋼鉄製防潮板４６を開いた状態で保持するための磁石受けである。
本発明の防潮板４６をアーチ橋４１に組み付けることにより、非常に強度の高い津波膨張力を用いた自動両開き遮水型防潮堤を提供することができる。
【００３５】
図１７はハニカム形態基盤を用いたアーチ橋を示し、また図１８はアーチ橋の橋脚上部の壁体内に複数本の棒状木質体を組み込んで埋設している状態を示すものである。
すなわち、図１７は本発明の防潮板を組み付けようとするアーチ橋４１の例を示すものであり、このアーチ橋４１は橋脚部４３の上下部に複数本の棒状木質体４８を組み込んだ基盤４７を埋設されている。
また図１８は棒状木質体４８を組み込んだ基盤４７を示すものであり、前記基盤４７には適宜棒状木質体４８が強度を上げる配列で埋設されている。なお、前記棒状木質体４８としては、いわゆる間伐材その他の木材や竹材等が好適に使用でき、大幅な強度アップのみならず、顕著なコストダウンにもつながる。
図１９はアーチ橋の橋脚上部の壁体内に組み込む複数本の棒状木質体４８の組み付け状態の例を示すものである。
【００３６】
以下、図２０ないし図２６に上下の面に互いに係合する凸面および凹面を形成した串状係合ブロックを用いた基盤４７の例を示す。そのような例としては、本発明者の出願に係る特願２０１６−９１２７２号（特開２０１７−１９８０２２号公報）を挙げることができる。
図２０（ａ）は串状係合ブロック５０の概略上面斜視図、（ｂ）は串状係合ブロック５０の概略下面斜視図である。
図２１（ａ）は串状係合ブロック５０の概略上面図、（ｂ）は串状係合ブロック５０の概略下面図である。
図２２（ａ）は幅が１／２の串状係合ブロック５１の概略上面図、（ｂ）は幅が１／２の串状係合ブロック５１の概略下面図である。
図２３（ａ）はテーパ状形態の串状係合ブロック５２の概略上面斜視図、（ｂ）はテーパ状形態の串状係合ブロック５２の概略下面斜視図である。
図２４（ａ）はテーパ状形態の串状係合ブロック５２の概略上面図、（ｂ）はテーパ状形態の串状係合ブロック５２の概略並列上面図である。
図２５はテーパ状形態の串状係合ブロック５２のカーブ上構築概略上面図である。
図２６は串状係合ブロック５０の概略断面図である。
【産業上の利用可能性】
【００３７】
本発明は津波膨張力を用いた自動両開き遮水型防潮堤への採用を前提に説明してきたが、もちろん津波防止用に限定されるものではなく、その他の用途の防潮堤にも適用できることは言うまでもない。
【符号の説明】
【００３８】
１１  支柱主体
１１ａ，１１ｂ  支柱主体
１２  筋交い棒
１３，１３’  鋼鉄製防潮板
１３ａ  磁石受け
１４  副支柱
１４ａ，１４ｂ  副支柱
１５  筋交い棒
１６  補強用の支承板
１７  高架道路
１８  筋交い
２１  風力発電用の羽根
３１  ハニカム形態型基盤
３２  ハニカム用板材
３３  はめ込み溝
３３ａ  溝
３３ｂ  溝
３３ｃ  幅広溝
４１  アーチ橋
４２  スリット状の開口部
４３  橋脚部
４４  防潮板
４５  支柱主体
４６  鋼鉄製防潮板
４６ａ  磁石受け
４７  基盤
４８  棒状木質体
４９  コンクリート体
５０  串状係合ブロック
５１  幅が１／２の串状係合ブロック
５２  テーパ状形態の串状係合ブロック
【図１】
2019023419.tif 000003
【図２】
2019023419.tif 000004
【図３】
2019023419.tif 000005
【図４】
2019023419.tif 000006
【図５】
2019023419.tif 000007
【図６】
2019023419.tif 000008
【図７】
2019023419.tif 000009
【図８】
2019023419.tif 000010
【図９】
2019023419.tif 000011
【図１０】
2019023419.tif 000012
【図１１】
2019023419.tif 000013
【図１２】
2019023419.tif 000014
【図１３】
2019023419.tif 000015
【図１４】
2019023419.tif 000016
【図１５】
2019023419.tif 000017
【図１６】
2019023419.tif 000018
【図１７】
2019023419.tif 000019
【図１８】
2019023419.tif 000020
【図１９】
2019023419.tif 000021
【図２０】
2019023419.tif 000022
【図２１】
2019023419.tif 000023
【図２２】
2019023419.tif 000024
【図２３】
2019023419.tif 000025
【図２４】
2019023419.tif 000026
【図２５】
2019023419.tif 000027
【図２６】
2019023419.tif 000028
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
海岸に敷設した基盤上に立設され、筋交い棒で補強された支柱主体と、
該支柱主体に海側を向いて開閉するように回転可能に取り付けられた一対の防潮板と、
前記一対の防潮板の他端を保持する、筋交い棒で補強された副支柱とを備え、
前記支柱主体と副支柱とは、津波が押し寄せる海側に向かって傾斜して基盤上に立設されていて、かつ一対の前記防潮板の表側の対向部に複数の固定用磁石受けを備えており、
前記支柱主体と副支柱とをその設置方向に沿って交互に配設し、
津波が襲来した際には前記一対の防潮板の間に津波が入り込むことによりその圧力で一対の防潮板が拡がるよう回転し、その先端は前記副支柱に係合して保持されることによって津波防止用の防潮堤としての役割を果すことができるようにしたことを特徴する津波膨張力を用いた自動両開き遮水型防潮堤。
【請求項２】
前記一対の防潮板は、互いの対向面の先端が反り返るアーチ状をなしており、該アーチの内面には補強用の支承板が上下方向に所定の間隔で配設されていることを特徴とする請求項１に記載の津波膨張力を用いた自動両開き遮水型防潮堤。
【請求項３】
前記支柱主体と副支柱を補強する筋交い棒は、前記支柱主体と副支柱に対して陸側から配設されていることを特徴とする請求項１または２に記載の津波膨張力を用いた自動両開き遮水型防潮堤。
【請求項４】
前記支柱主体と副支柱を補強する筋交い棒は、前記支柱主体と副支柱に対して海側と陸側からそれぞれ一対配設されていることを特徴とする請求項１または２に記載の津波膨張力を用いた自動両開き遮水型防潮堤。
【請求項５】
前記支柱主体と副支柱とは、それぞれ所定間隔で一対の支柱主体と、それに隣接する所定間隔で一対の副支柱によって構成されており、前記支柱主体と副支柱の所定間隔の間には高架道路が配設されていることを特徴とする請求項１ないし４のいずれかに記載の津波膨張力を用いた自動両開き遮水型防潮堤。
【請求項６】
前記海岸に敷設した基盤は、所定間隔に複数のはめ込み溝を形成した縦板および横板を交互に組み付けて形成したハニカム構造を備えており、該ハニカム構造中にはコンクリートが打設されていることを特徴とする請求項１ないし５のいずれかに記載の津波膨張力を用いた自動両開き遮水型防潮堤。
【請求項７】
海岸に敷設した基盤は、その上にアーチ橋形態の擁壁体が構築されており、該アーチ橋形態の擁壁体の構造をコンクリート製串状係合型ブロックによる組み積み構造とするか、複数本の棒状木質体を組木状に組み込み、該棒状木質体の自然そり力やゆがみ力を逆手に応用し、耐久性や収縮性、そして耐圧性や一体性を大幅に向上した頑強な防潮堤を構築できるようにしたことを特徴とする請求項１ないし６のいずれかに記載の津波膨張力を用いた自動両開き遮水型防潮堤。